(57)【特許請求の範囲】
【請求項１】
固体発光素子からなる光源を点灯させる電源回路と、
前記電源回路を制御し、家電の電源操作に応答して前記家電から発せられる消灯用信号を受信する制御装置と、
を備え、
前記制御装置は、
予め設定される設定時刻を記憶し、
前記設定時刻よりも前の時刻である制御開始時刻から前記設定時刻にかけて予め設定された開始調光率から予め設定された終了調光率まで前記光源の明るさを徐々に変化させる調光制御を行い、
前記光源の明るさが前記終了調光率に達した後、前記光源の消灯操作がないままで前記消灯用信号を受信した場合に、前記光源を消灯させる点灯装置。
【請求項２】
前記設定時刻は、起床予定時刻であり、
前記制御装置は、前記調光制御において前記開始調光率を下限調光率としかつ前記終了調光率を上限調光率として徐々に明るさを上げ、
前記消灯用信号は、前記家電の電源投入時に前記家電から発せられる請求項１に記載の点灯装置。
【請求項３】
前記設定時刻は、就寝予定時刻であり、
前記制御装置は、前記調光制御において前記開始調光率を上限調光率としかつ前記終了調光率を下限調光率として徐々に明るさを下げ、
前記消灯用信号は、前記家電の電源オフ時に前記家電から発せられる請求項１に記載の点灯装置。
【請求項４】
請求項１〜３のいずれか１項に記載の点灯装置を備えた照明装置。
【発明の詳細な説明】
【技術分野】
【０００１】
本発明は、点灯装置および照明装置に関する。
【背景技術】
【０００２】
蛍光灯および白熱灯を備える照明とアラームにより目覚ましを促進する目覚まし装置において、設定時刻前から白熱灯を調光点灯させ徐々に眠りを浅くしてゆき、設定時刻に蛍光灯の点灯およびアラームを鳴らすことで目覚ましを促進する技術がある（例えば、特許文献１参照）。
【先行技術文献】
【特許文献】
【０００３】
【特許文献１】特開２００３−２１５２７９号公報
【発明の概要】
【発明が解決しようとする課題】
【０００４】
上記のような目覚まし照明制御は、寝室などの睡眠を取るための空間に設けられた照明器具で実行されることが想定される。寝室などに設けられた照明器具は日中に点灯されることは少なく、日没以後の暗い時間帯に点灯し就寝時に消灯操作することが多い。一方、上記特許文献１によれば、起床時（通常は日の出以後の朝方）に自動的に照明が点灯された状態となる。起床後には必ずしも照明を点灯させ続ける必要は無いので、使用者は、起床した直後に既に点いている照明を消灯することになる。このような消灯操作は前述した通常の消灯操作とは異なっているので、起床直後で注意力が低下している場合などに、消灯忘れが生じやすいという問題がある。
【０００５】
なお、上記特許文献１には明記が無いが、本願発明者は就寝時の照明制御についても鋭意研究を重ねている。その研究の過程において、就寝時についても消灯忘れの問題が生じうることが本願発明者により見出されている。
【０００６】
本発明は、上述のような課題を解決するためになされたもので、消灯忘れを抑制できるように使い勝手が向上された点灯装置および照明装置を提供することを目的とする。
【課題を解決するための手段】
【００１１】
第１の発明にかかる点灯装置は、固体発光素子からなる光源を点灯させる電源回路と、前記電源回路を制御し、家電の電源操作に応答して前記家電から発せられる消灯用信号を受信する制御装置と、を備え、前記制御装置は、予め設定された時刻の設定を受け付け、設定された設定時刻を記憶し、前記設定時刻よりも前の時刻である制御開始時刻から前記設定時刻にかけて、予め設定された開始調光率から予め設定された終了調光率まで前記光源の明るさを徐々に変化させる調光制御を行い、前記光源の明るさが前記終了調光率に達した後、前記光源の消灯操作がないままで前記消灯用信号を受信した場合に、前記光源を消灯させる。
【００１３】
第２の発明にかかる照明装置は、上記第１の発明にかかる点灯装置を備える。
【発明の効果】
【００１４】
第１の発明によれば、照明スイッチ以外の消灯機能を持たせることにより、照明スイッチなどで消灯する動作がなくとも消灯忘れを抑制でき、使い勝手が向上する。
【００１６】
第２の発明によれば、上記第１の発明にかかる機能を搭載した照明装置を得ることができる。
【図面の簡単な説明】
【００１７】
【図１】本発明の実施の形態にかかる点灯装置の回路ブロック図である。
【図２】本発明の実施の形態にかかる目覚まし照明制御における処理フローを説明するタイムチャートである。
【図３】本発明の実施の形態にかかる目覚まし照明制御における設定画面の一例を示す図である。
【図４】本発明の実施の形態にかかる目覚まし照明制御における処理フローを説明するフローチャートである。
【図５】本発明の実施の形態にかかる就寝時消灯制御における処理フローを説明するタイムチャートである。
【図６】本発明の実施の形態にかかる就寝時消灯制御における設定画面の一例を示す図である。
【図７】本発明の実施の形態にかかる就寝時消灯制御における処理フローを説明するフローチャートである。
【発明を実施するための形態】
【００１８】
実施の形態にかかる装置の構成．
図１は、本発明の実施の形態にかかる点灯装置１を示す回路ブロック図である。図１には、点灯装置１を含む照明器具１００も図示されている。照明器具１００は、光源モジュール２７と、点灯装置１と、調光器２８および調光信号インターフェイス（Ｉ／Ｆ）回路４と、を備えている。点灯装置１は、直流電源２、バックコンバータ回路３、および制御装置４０を備えている。光源モジュール２７は、固体発光素子であるＬＥＤ２７ａが複数個直列接続されたものである。ただしＬＥＤ２７ａの接続方法は並列あるいは直並列であってもよい。実施の形態では、光源モジュール２７を点灯させる「電源回路」として直流電源２およびバックコンバータ回路３が用いられているが、電源回路の具体的回路構成は様々なものを用いることができ、例えばフライバックコンバータ回路を用いても良い。ＬＥＤ２７ａは、無機半導体材料からなるＬＥＤに限らず、いわゆる有機ＥＬ（ＯＬＥＤ）でもよい。
【００１９】
直流電源２は、例えば昇圧チョッパ回路で構成されており、整流回路８と、コンデンサ９と、抵抗３１、３２が直列接続した分圧回路と、インダクタ１０と、スイッチング素子Ｑ１と、ダイオード１４と、コンデンサ１７と、抵抗１５、１６が直列接続した分圧回路を備えている。
【００２０】
整流回路８は、交流電源７と接続している。交流電源７と整流回路８とを接続する配線の途中には、電源オン／オフ等の操作を受け付ける照明スイッチＳＷが設けられている。コンデンサ９は、整流回路８の出力端子に並列に接続する。抵抗３１、３２が直列接続した分圧回路は、このコンデンサ９に並列に接続される。コンデンサ９の両端電圧が抵抗３１、３２を用いて分圧され、制御装置４０に入力される。インダクタ１０は、一端が整流回路８の高電位側に接続される。
【００２１】
スイッチング素子Ｑ１は、本実施の形態ではＭＯＳＦＥＴであり、第１電極（本実施の形態ではドレイン）、第２電極（本実施の形態ではソース）および第１、２電極間をスイッチングするための制御電極（本実施の形態ではゲート）を備え、インダクタ１０の他端に第１電極が接続される。ダイオード１４のアノードが、スイッチング素子Ｑ１の第１電極とインダクタ１０の他端との接続点に接続される。
【００２２】
コンデンサ１７は、ダイオード１４のカソードに正極が接続され整流回路８の低電位側に負極が接続される電解コンデンサからなる。抵抗１５、１６が直列接続した分圧回路は、このコンデンサ１７に並列に接続される。コンデンサ１７の両端電圧が抵抗１５、１６を用いて分圧され制御装置４０に入力される。
【００２３】
抵抗１５、１６は、直流電源２の出力端に設けられており、直流電源２の出力電圧検出に用いられる。抵抗１６からの検出電圧が制御装置４０に入力され、制御装置４０はこの検出電圧に基づいて、直流電源２の出力電圧が一定電圧になるようにスイッチング素子Ｑ１をオンオフする。
【００２４】
バックコンバータ回路３は、スイッチング素子Ｑ２と、ダイオード２１と、インダクタ（チョークコイル）２２と、コンデンサ２３と、検出抵抗２４と、抵抗５１、５２が直列接続した分圧回路を備えている。スイッチング素子Ｑ２とダイオード２１からなる直列回路が、直流電源２のコンデンサ１７と並列に接続されている。
【００２５】
スイッチング素子Ｑ２は、本実施の形態ではＭＯＳＦＥＴであり、第１電極（本実施の形態ではドレイン）、第２電極（本実施の形態ではソース）および第１、第２電極間をスイッチングするための制御電極（本実施の形態ではゲート）を備えている。この第１電極がコンデンサ１７の一端（正極）と接続し、ダイオード２１のカソードに第２電極が接続される。インダクタ２２、コンデンサ２３、および検出抵抗２４がこの順に接続して直列回路を形成しており、この直列回路がダイオード２１に並列に接続している。
【００２６】
検出抵抗２４は、バックコンバータ回路３に設けられており、光源モジュール２７に流れるＬＥＤ電流の検出に用いられる。検出抵抗２４からのＬＥＤ電流に対応した検出電圧が制御装置４０に入力され、制御装置４０はこの検出電圧に基づいて、光源モジュール２７に流れる電流が一定電流になるようにバックコンバータ回路３のスイッチング素子Ｑ２をオンオフする。
【００２７】
抵抗５１、５２は、バックコンバータ回路３の出力端に設けられており、光源モジュール２７の接続有無、電圧検出に用いられる。抵抗５２からの検出電圧が制御装置４０に入力され、制御装置４０はこの検出電圧に基づいて、光源モジュール２７の電圧異常を検出する。
【００２８】
デジタル電源用制御装置として提供されるマイコンは既に各種のものが公知であり、それらの公知のマイコンを制御装置４０に使用することができる。本実施の形態において一例として図１に示す制御装置４０は、内部バスを介して互いに接続された制御回路４１、４２、記憶部４３、Ａ／Ｄ変換回路４４、演算処理部４５、送受信部４６、およびタイマ４７を備えている。制御回路４１、４２は、スイッチング素子Ｑ１、Ｑ２それぞれをスイッチングするＰＷＭ信号を出力する。記憶部４３は、例えば不揮発性メモリなどからなり、演算処理部４５で実行すべき演算プログラム（後述する目覚まし照明制御プログラム、就寝時消灯制御プログラムなど）および演算プログラムの実行時に用いられる各種データを記憶している。制御装置４０は、さらに、送受信部４６と接続して無線信号の送受信を行うアンテナ５０を備えている。
【００２９】
記憶部４３に対しては外部からデータの書き込みおよび読み出しが行われるようになっている。演算処理部４５は、スイッチング素子Ｑ１、Ｑ２のスイッチング制御におけるオン時間などを算出する。制御装置４０には、抵抗１５，１６で分圧された直流電源２の出力電圧に応じた電圧、抵抗３１、３２で分圧された交流電源７を整流した電圧に応じた電圧、および検出抵抗２４で検知したＬＥＤ電流に応じた電圧が入力される。Ａ／Ｄ変換回路４４でこれらの電圧値がデジタル値に変換され、このデジタル値を用いて演算処理部４５により演算処理が行われる。
【００３０】
制御装置４０は、予め記憶部４３に設定された目標電圧に一致するように、抵抗１５，１６で分圧された直流電源２の出力電圧に応じてスイッチング素子Ｑ１のオン時間を調整することで定電圧制御を行っている。
【００３１】
また、制御装置４０には、調光信号Ｉ／Ｆ回路４を介して壁等に備え付けた調光器２８からの調光指令値が入力されており、ＬＥＤ電流がこの調光指令値に基づいて決定される目標電流に一致するように、検出抵抗２４で検知したＬＥＤ電流に基づいてスイッチング素子Ｑ２のオン時間を調整する。さらに、記憶部４３に予め書き込まれたバックコンバータ回路３の回路効率、インダクタ２２のインダクタンス値、ダイオード２１の順方向電圧値と、検出回路で検出したバックコンバータ回路３の出力電流値、出力電圧値、入力電圧値に基づいてスイッチング素子Ｑ２の周波数を変調することで略臨界モードでの定電流制御を行っている。
【００３２】
図１には、ネットワーク７０を介して制御装置４０のアンテナ５０に接続される家電８０および無線通信機器２００が図示されている。図１では、一例として、エアコン８１、パーソナルコンピュータ８２、テレビ８３、およびオーディオ８４を包括して家電８０と称している。これら以外にも様々な家電機器を家電８０に含めても良く、例えば、電子レンジおよび電磁調理器（いわゆるＩＨクッキングヒータ）などの台所家電機器、並びに洗濯機などが含まれていてもよい。ネットワーク７０を介してこれらの家電８０を接続する技術は、例えば特開２０１５−４６９５０号公報などに開示されているような公知技術を用いればよく、新規な事項ではない。したがって、ここではこれ以上の説明は省略する。
【００３３】
無線通信機器２００は、照明コントローラ２０１などの照明制御機器を除くいわば汎用通信機器である。無線通信機器２００には様々な通信装置が含まれ、例えば持ち運び可能な携帯端末を例示すると、スマートフォン、スマートフォン以外の携帯電話、タブレット型パーソナルコンピュータ、ＰＤＡ（Ｐｅｒｓｏｎａｌ  Ｄｉｇｉｔａｌ  Ａｓｓｉｓｔａｎｔ）、あるいはノート型のパーソナルコンピュータであってもよい。また、必ずしも持ち運び可能な携帯端末に限らず、無線ＬＡＮを構築した据置型通信端末、具体的にはデスクトップ型パーソナルコンピュータであってもよい。照明コントローラ２０１は、図示しないリモコンからの電源オン／オフおよび調光指令値により照明器具１００を照明制御する。
【００３４】
実施の形態にかかる装置の動作．
制御装置４０は、以下に述べる「目覚まし照明制御」および「就寝時消灯制御」を実行することができる。これらの制御を実行するために、記憶部４３には、予め、「目覚まし照明制御プログラム」、「就寝時消灯制御プログラム」、「目覚まし照明設定プログラム」、および「就寝消灯設定プログラム」を含む電子データが記憶されている。
【００３５】
目覚まし照明制御および就寝時消灯制御における調光制御は、使用者によって設定時刻が予め設定されており、制御開始時刻から設定時刻にかけて予め定められた「開始調光率」から予め定められた「終了調光率」まで光源モジュール２７の明るさを徐々に変化させる点で類似している。ただし、目覚まし照明制御では、設定時刻が「起床予定時刻」であり、開始調光率が下限調光率とされかつ終了調光率が上限調光率とされて徐々に明るさを上げる調光制御が行われる。その一方で、就寝時消灯制御では、設定時刻が「就寝予定時刻」であり、開始調光率が上限調光率とされ、かつ終了調光率が下限調光率とされて徐々に明るさを下げる調光制御が行われる。
【００３６】
（実施の形態にかかる目覚まし照明制御）
図２は、実施の形態にかかる目覚まし照明制御における処理フローを説明するタイムチャートである。図２では、一例として、目覚まし照明制御開始時刻ｔ１から起床予定時刻ｔ２にかけて、５％〜２５％の範囲で予め定められた所定調光率を下限としここから上限調光率（一例として全光）に向けて、時間経過に応じて連続的に明るさを上げていくという調光制御を行っている。なお、起床予定時刻ｔ２で全光となった後、後述する所定の消灯条件（図４のステップＳ１１２〜Ｓ１１６）が成立した時刻ｔ３において、制御装置４０は光源モジュール２７を自動的に消灯する。図２では下限調光レベルに一気に持っていき、直ちに予め定めた所定時間かけて上限調光レベルに持っていく調光制御を例示したが、変形例として下限調光レベルを予め定めた他の所定時間だけ保持するように構成してもよい。
【００３７】
（目覚まし設定画面）
図３は、実施の形態にかかる目覚まし照明制御における設定画面の一例を示す図である。本実施の形態では、使用者の好みに応じて目覚まし照明制御の内容を調整することができる。具体的には、時間および明るさの設定値などを任意に設定することができる。これにより、使用者一人ひとりが気分よく起床するような照明制御を実現することができる。使用者は、スマートフォン等の無線通信機器２００を用い、図３に示す目覚まし設定画面を立ち上げる。無線通信機器２００の画面上で図３のユーザインターフェースを介して起床予定時刻などを設定することができる。
【００３８】
設定画面により入力されるべき複数の設定値には、起床予定時刻ｔ２と、目覚まし照明制御開始時刻ｔ１を決定するための情報（すなわち、目覚まし予定時刻の何分前に目覚まし照明制御を開始するかの時間値）と、上限調光率および下限調光率と、調光パターンと、自動消灯時間と、家電連携の有無と、が含まれている。図３では目覚まし照明制御開始時刻ｔ１から起床予定時刻ｔ２までの時間が５分に設定されているが、これは一例であり、個人差があるので、時間を長くしたり短くしたり調整できるようになっている。図３に示す例では、目覚まし照明制御において上限調光率および下限調光率の両方を可変設定にしているが、上限調光率は全光点灯（つまり調光率＝１００％）で固定とされ下限調光率のみを可変設定可能としても良く、その逆でもよい。また、調光パターンを複数個記憶しておき、使用者が選択できるようにしてもよい。例えば、３つの調光パターンＡ、Ｂ、Ｃを記憶しておき、使用者に選択させても良い。調光パターンＡは、図２に示すように、下限調光率から上限調光率に向かって一次関数的に連続調光で明るさを上げるものとする。調光パターンＢは、下限調光率から上限調光率に向かって階段状に（いわば段調光的に）明るさを上げるものとしてもよい。調光パターンＣは、下限調光率から第１の変化率で明るさを上げ、途中で第１の変化率と異なる第２の変化率（第１の変化率より大きくてもよく、小さくてもよい）で明るさを上げて上限調光率に達するものでもよい。なお、「自動消灯時間」および「家電連携の有無」は、後述する図４のフローチャートにおけるステップＳ１１２、Ｓ１１６の処理で使用される設定値である。
【００３９】
無線通信機器２００は、上記の各種設定値を含む目覚まし設定用無線信号を制御装置４０に送信する。無線通信機器２００は、入力された設定値を制御装置４０へ送信する。制御装置４０は、無線通信機器２００からの無線信号をアンテナ５０および送受信部４６で受信し、設定値を記憶部４３に記憶する。制御装置４０は、タイマ４７により計時された現在時刻が目覚まし照明制御開始時刻に一致すると、最新の設定値に従って調光制御プログラムを実行する。
【００４０】
なお、本実施の形態では、一例として、図３の各設定値を入力するための「入力用通信機器」として無線通信機器２００を用いるとともに、無線通信機器２００を後述するステップＳ１１４の消灯用信号の送信にも用いている。しかしながら、目覚まし設定画面の入力用機器と、図４のステップＳ１１４における消灯用信号の送信用通信機器とを、別の機器としても良い。また、設定画面を介した制御装置４０への設定値入力は無線信号で行う場合に限定されず、図示しない有線設定器（有線コントローラ）から目覚まし設定用信号および消灯用信号を制御装置４０へ有線送信するようにしてもよい。
【００４１】
（目覚まし照明制御の具体的処理）
図４は、実施の形態にかかる目覚まし照明制御における処理フローを説明するフローチャートである。制御装置４０の演算処理部４５は、アンテナ５０および送受信部４６を介して目覚まし設定用無線信号を受信すると、記憶部４３に予め記憶された目覚まし照明制御プログラムを実行する。
【００４２】
図４の処理フローでは、まず、演算処理部４５は、記憶部４３に予め格納しておいた設定値を読み出す（ステップＳ１００）。演算処理部４５は、設定値に含まれる起床予定時刻および目覚まし照明制御開始時刻の値から、目覚まし照明制御開始時刻ｔ１を演算する（ステップＳ１０２）。一例として、図３では、使用者により目覚まし照明制御開始時刻ｔ１が起床予定時刻ｔ２（図３の例では６時００分）の５分前に設定されているので、起床予定時刻ｔ２から５分を減算した時刻が目覚まし照明制御開始時刻ｔ１（図３の例では５時５５分）に設定される。
【００４３】
次に、演算処理部４５は、目覚まし照明制御プログラムに従って、タイマ４７で現在時刻を検出し、現在時間が目覚まし照明制御開始時刻ｔ１に達したか否かが判定される（ステップＳ１０４）。現在時間が目覚まし照明制御開始時刻ｔ１に達するまでは待機状態となる。
【００４４】
現在時間が目覚まし照明制御開始時刻ｔ１に達すると、次に、演算処理部４５は、下限調光率での点灯を開始する（ステップＳ１０６）。具体的には、演算処理部４５は、使用者により予め定められた下限調光率でＬＥＤ２７ａを下限調光点灯するように制御回路４２に制御信号を送る。制御回路４２は、その制御信号をもとにスイッチング素子Ｑ２のオン時間を制御して、光源モジュール２７を下限調光点灯させる。図３では、一例として、使用者により下限調光率が５％に設定されている。下限調光率は例えば調光率５〜２５％の範囲で使用者に選択させるようにしてもよい。
【００４５】
その後、演算処理部４５は、目覚まし照明制御プログラムに従って、下限調光率に達すると直ちに調光率を増大させる（ステップＳ１０８）。具体的には、演算処理部４５は、下限調光点灯時から５分後の起床予定時刻で、予め定めた上限調光率（一例として全光すなわち調光率１００％）となるように、しかもこの５分間の下限調光点灯時から全光点灯時まで調光率を一定速度で上昇させるように、制御回路４２に制御信号を送る。制御回路４２は、その制御信号をもとにスイッチング素子Ｑ２のオン時間を制御して、下限調光点灯時から５分間の起床予定時刻まで一定で調光率を上昇させる。このような調光制御が行われ、最終的に起床予定時刻ｔ２で光源モジュール２７が全光点灯とされる（ステップＳ１１０）。
【００４６】
ステップＳ１１０の後、処理はステップＳ１１２〜Ｓ１１６に進む。実施の形態では、起床予定時刻ｔ２に達した後、光源モジュール２７の消灯操作がないままで下記に述べる各種の消灯条件が満たされた場合に制御装置４０が光源モジュール２７を消灯させるように、目覚まし照明制御プログラムが構築されている。
【００４７】
具体的には、まず、起床予定時刻ｔ２の（全光）後に、演算処理部４５は、タイマ４７の計時機能を利用して、予め定められた自動消灯時間（一例として５分）が経過したか否かを判定する（ステップＳ１１２）。この自動消灯時間が経過してもいまだに光源モジュール２７が点灯している場合には、消灯忘れの可能性が高い。そこで、演算処理部４５は、ＬＥＤ２７ａを自動消灯となるように制御回路４２に制御信号を送る（ステップＳ１２４）。制御回路４２は、その制御信号をもとにスイッチング素子Ｑ２の動作を停止する。なお、図３の設定画面において、自動消灯時間の値は使用者の好みに応じて５分以外の値に変更することができる。
【００４８】
また、演算処理部４５は、制御装置４０のアンテナ５０を介して、照明用制御機器以外の無線通信機器２００から光源モジュール２７の消灯を指示する消灯用信号を受信したか否かを判定する（ステップＳ１１４）。制御装置４０は、消灯用信号をアンテナ５０で受信した場合に、ステップＳ１１２と同様に光源モジュール２７を消灯させるように制御回路４２に制御信号を送る（ステップＳ１２４）。
【００４９】
このようにすることで、使用者が起床した後、無線通信機器２００を手動操作することにより、消灯用信号を制御装置４０に通知して消灯することができる。つまり、ステップＳ１１４では、ＬＥＤ２７ａの消灯が時間経過に基づく自動消灯ではなく、手動操作に基づいて行われる。このような方法であっても、照明スイッチＳＷをオフすることを忘れたときに、スマートフォン等の他の無線通信機器を操作する際に使用者が消灯用信号を通知して光源モジュール２７を消灯する機会を作り出すことができるので、消灯忘れを抑制する効果がある。なお、無線通信機器２００に消灯時刻を予め設定しておき、その消灯時刻になると、無線通信機器２００が自動で消灯用信号を制御装置４０に通知するようにしてもよい。
【００５０】
また、演算処理部４５は、家電８０から発せられる消灯用信号を受信したか否かを判定する（ステップＳ１１６）。前述したように、家電８０からの信号は、ネットワーク７０を介して制御装置４０のアンテナ５０に送信されるようになっている。本実施の形態では、エアコン８１等の家電８０に電源が投入されたらその家電８０が制御装置４０に自動で消灯用信号を発するように、家電８０、ネットワーク７０および点灯装置１を含むシステムが構成されている。消灯用信号は、家電８０の電源投入時に家電８０から発せられる。制御装置４０は、家電８０からの消灯用信号を受信した場合に、光源モジュール２７を消灯させるように制御回路４２に制御信号を送る（ステップＳ１２４）。なお、図３の設定画面で「家電連携」を「なし」に設定すると、ステップＳ１１６の処理は省略される。
【００５１】
上記のような目覚まし照明制御によれば、照明スイッチＳＷ以外の消灯機能を持たせることにより、照明スイッチＳＷで消灯する動作がなくとも消灯忘れを抑制でき、使い勝手が向上する。また、アラームのような音を発生させることなく、照明による視覚的な刺激を与えることにより目覚めさせることができるので、隣室などの周囲に音による悪影響を与えないで済ませることができる。また、起床予定時刻の所定時刻前から徐々に調光率を上げながら全光に持っていくようにしたので、起床予定時刻にいきなり全光させる場合よりも、優しい視覚感覚で目覚めを促進できる。
【００５２】
（実施の形態にかかる就寝時消灯制御）
図５は、実施の形態にかかる就寝時消灯制御における処理フローを説明するタイムチャートである。就寝時消灯制御開始時刻ｔ１１から就寝予定時刻ｔ１２にかけて、上限調光率（一例として全光）から下限調光率（例えば５％）へと連続的に明るさを下げる制御を行っている。なお、就寝予定時刻ｔ１２で下限調光となった後、下限調光点灯を維持し、後述する所定の消灯条件（図７のステップＳ１１２〜Ｓ２１６）が成立した時刻ｔ１３において、制御装置４０は光源モジュール２７を下限調光点灯から自動的に消灯する。
【００５３】
（就寝設定画面）
図６は、実施の形態にかかる就寝時消灯制御における設定画面の一例を示す図である。図３に示す目覚まし設定画面と類似する入力項目が列挙されている。これにより、例えば消灯照明制御開始時刻から就寝予定時刻までの時間を使用者の好みに応じて５分から変更するなどの調整が可能となる。図６に示す就寝設定画面の内容についても、図３で説明したのと同様の変形が可能である。例えば、図６の例では上限調光率および下限調光率の両方を可変設定にしているが、上限調光率は全光点灯（つまり調光率＝１００％）で固定とされ下限調光率のみを可変設定可能としても良く、その逆でもよい。これにより、目覚まし照明制御と同様に、就寝時消灯制御の内容も使用者の好みに合わせて調整することができ、使用者一人ひとりが気分よく就寝できるような消灯制御を実現することができる。
【００５４】
なお、例えば使用者が任意に調光率を設定可能な照明器具においては、就寝時消灯制御開始時刻ｔ１１において調光率が全光未満の調光率に設定されていることも考えられる。そのような場合に対応する変形例として、就寝時消灯制御開始時刻ｔ１１の上限調光率を一定に保持せずに、就寝時消灯制御開始時刻ｔ１１における現在の調光率（例えば８０％調光）を上限調光率に設定してそのまま就寝時消灯制御を開始するようにしてもよい。
【００５５】
無線通信機器２００は、図６の設定画面に入力された複数の設定値を含む就寝時消灯設定用無線信号を制御装置４０に送信する。無線通信機器２００は、入力された設定値を制御装置４０へ送信する。制御装置４０は、無線通信機器２００からの無線信号をアンテナ５０および送受信部４６で受信し、設定値を記憶部４３に記憶する。制御装置４０は、タイマ４７により計時された現在時刻が就寝時消灯制御開始時刻に一致すると、最新の設定値に従って調光制御プログラムを実行する。
【００５６】
なお、就寝設定画面に関して、目覚まし照明制御の場合と同様の変形が可能である。例えば、就寝設定画面に入力された設定値を制御装置４０へと伝達するための通信方式は、無線に限らず有線でもよい。また、就寝設定画面の入力用機器と、図７のステップＳ１１４における消灯用信号の送信用通信機器とを、別の機器としても良い。
【００５７】
（就寝時消灯制御の具体的処理）
図７は、実施の形態にかかる就寝時消灯制御における処理フローを説明するフローチャートである。制御装置４０の演算処理部４５は、アンテナ５０および送受信部４６を介して無線通信機器２００から就寝時消灯設定用無線信号を受信すると、記憶部４３に予め記憶された就寝時消灯制御プログラムを実行する。以下、図７の処理フローのうち、図４で説明した処理フローと類似する部分については、重複説明を避けるために説明を簡略化或いは省略する。
【００５８】
図７の処理フローによれば、演算処理部４５は、まず記憶部４３に予め記憶しておいた設定値を読み出し（ステップＳ２００）、設定値に含まれる図６の就寝予定時刻（２３時００分）と就寝時消灯制御開始時刻の値（５分）とから就寝時消灯制御開始時刻ｔ１１（図６の例では２２時５５分）を算出し（ステップＳ２０２）、現在時刻が就寝時消灯制御開始時刻ｔ１１に一致しているかを判定する（ステップＳ２０４）。
【００５９】
タイマ４７で計時された現在時刻が就寝時消灯制御開始時刻ｔ１１に達すると、次に、演算処理部４５は、上限調光点灯から調光率の低減を開始する（ステップＳ２０６）。具体的には、演算処理部４５は、全光時から５分後の就寝予定時刻ｔ１２において使用者により定められた下限調光率での点灯となるように、しかも全光点灯時から下限調光点灯時までの調光率をこの５分間かけて一定速度で減少させるように、制御回路４２に制御信号を送る。制御回路４２は、その制御信号をもとにスイッチング素子Ｑ２のオン時間を制御して、上限調光時（ここでは全光点灯時）から５分後の就寝予定時刻ｔ１２まで一定速度で調光率を減少させて、就寝予定時刻ｔ１２では予め定められた下限調光率で光源モジュール２７を点灯させる。
【００６０】
実施の形態にかかる就寝時消灯制御プログラムでは、上述した目覚まし照明制御プログラムと同様に、消灯忘れを抑制するための工夫が施されている。すなわち、就寝予定時刻ｔ１２に達した後、下限調光点灯を維持し、光源モジュール２７の消灯操作がないままで下記の３つの消灯条件の少なくとも１つが満たされた場合には制御装置４０が光源モジュール２７を下限調光点灯から消灯させるように、就寝時消灯制御プログラムが構築されている。３つの消灯条件のうち２つは、図４の処理フローと同じく、ステップＳ１１２およびステップＳ１１４の判定条件が満たされることである。これにより、就寝予定時刻ｔ１２に達した後、演算処理部４５は一例として５分後に光源モジュール２７を自動消灯となるように、制御回路４２に制御信号を送る。また、無線通信機器２００からの消灯用信号を受信することで、光源モジュール２７が消灯される。
【００６１】
３つの消灯条件のうち残り１つは、図４のステップＳ１１６と同様に、家電８０との連携により判定される。図７のフローチャートにも、図４のステップＳ１１６と同様に、家電連携処理にかかるステップＳ２１６が含まれている。就寝時消灯制御を実現するために、エアコン８１等の家電８０の電源がオフされた場合に、その家電８０が自動で消灯用信号を発するように、家電８０、ネットワーク７０および点灯装置１を含むシステムが構成されているものとする。エアコン８１などの家電８０は、予め定めたタイマオフ時刻になると自動的に電源オフされるタイマ機能を内蔵しているものとする。エアコン８１などが予め設定されたタイマオフ時刻にオフとなると、連動して光源モジュール２７も消灯することができる。
【００６２】
上記のような就寝時消灯制御によれば、照明スイッチＳＷ以外の消灯機能を持たせることにより、照明スイッチＳＷで消灯する動作がなくとも就寝時の消灯忘れを抑制でき、使い勝手が向上する。また、就寝予定時刻の所定時刻前から徐々に調光率を下げながら下限調光に持っていくようにしたので、就寝時にいきなり消灯させる場合よりも、優しい視覚的刺激にて睡眠を促進できる。更に、下限調光点灯を所定時間保持してから自動消灯させるようにしたので、いきなり消灯させる場合よりも、特に幼児などに対して好適な就寝消灯を実現できる。
【００６３】
なお、上述した実施の形態では、目覚まし照明制御あるいは就寝時消灯制御の設定画面（図３および図６参照）により使用者が調光制御の詳細を自己の好みに合わせて調整できるようにしている。しかし、このような調整機能を無くして例えば起床予定時刻あるいは就寝予定時刻のみを設定できるようにし、調光率などの他の設定値は固定値とするように変形しても良い。その場合には、目覚まし照明制御あるいは就寝時消灯制御にかかる調光制御の後、所定の消灯条件が成立したときに自動的に光源モジュール２７が消灯されるという技術的特徴を備える点灯装置およびこれを備えた照明器具が提供される。
【００６４】
また、上述した実施の形態では、光源モジュール２７の明るさが調光制御の終了調光率（目覚まし照明制御では上限調光率であり、就寝時消灯制御では下限調光率）に達した後、所定の消灯条件が成立したときに自動的に光源モジュール２７が消灯される。しかしながら、このような消灯機能を無くすように変形してもよい。その場合には、設定画面により使用者が調光制御の詳細を自己の好みに合わせて調整できるという技術的特徴を備える点灯装置およびこれを備えた照明器具が提供される。
【００６５】
なお、上記の目覚まし照明制御、就寝時消灯制御、およびそれらの設定画面を含む各制御は、マイコンに限らず、ＤＳＰ（Ｄｉｇｉｔａｌ  Ｓｉｇｎａｌ  Ｐｒｏｃｅｓｓｏｒ）等の演算装置に搭載してもよい。それらの各制御に必要な制御ロジックをＤＳＰ等の演算装置に予め構築しておけばよい。
【００６６】
また、上記実施の形態では無線通信機器２００で設定された図３および図６の各種設定値を、無線通信機器２００により１台の照明器具１００に対して通知して、目覚まし照明制御および就寝時消灯制御を行う場合を例示した。しかし、この各種設定値を照明コントローラ２０１へ通知して、この照明コントローラ２０１と予めアドレス設定で関連付けられた複数の照明器具１００に対して照明コントローラ２０１により通知することで、目覚まし照明制御および就寝時消灯制御を行うように構成してもよい。これによれば、複数台の照明器具１００に対しても同様な効果を得ることができる。
【符号の説明】
【００６７】
１  点灯装置、２  直流電源、３  バックコンバータ回路、４  調光信号インターフェイス（Ｉ／Ｆ）回路、７  交流電源、８  整流回路、９、１７、２３  コンデンサ、１０、２２  インダクタ、１４、２１  ダイオード、１５、１６、３１、３２、５１、５２  抵抗、２４  検出抵抗、２７  光源モジュール、２８  調光器、４０  制御装置、４１、４２  制御回路、４３  記憶部、４４  Ａ／Ｄ変換回路、４５  演算処理部、４６  送受信部、４７  タイマ、５０  アンテナ、７０  ネットワーク、８０  家電、８１  エアコン、８２  パーソナルコンピュータ、８３  テレビ、８４  オーディオ、１００  照明器具、２００  無線通信機器、２０１  照明コントローラ、Ｑ１、Ｑ２  スイッチング素子、ＳＷ  照明スイッチ
【図１】
0006551112.tif 000002
【図２】
0006551112.tif 000003
【図３】
0006551112.tif 000004
【図４】
0006551112.tif 000005
【図５】
0006551112.tif 000006
【図６】
0006551112.tif 000007
【図７】
0006551112.tif 000008